(57)【要約】【課題】外出時に簡単にセットでき、また、セット後に破壊されにくい宅配ボックスを提供する。【解決手段】宅配物を収納する収納ボックス３０の後側部３１ｃの、左右方向のほぼ中心の下端部に固定した「Ｌ」字形の取付部材４３の水平部４３ｂに、連結部材４０の棒状部材４１を立設する。一方、連結部材４０の環状部材４２を「コ」字形の係合部材４０の連結部２３に固定する。宅配ボックス１のセットに際し、棒状部材４１の上方から、係合部材２０と一体の環状部材４２を挿通して下方に下げ、係合部材２０を、開放状態の玄関ドアの下端と床面との間隙に対し、玄関ドアの開放端側から基端側に向けて係合させる。玄関ドアを閉鎖すると、係合部材２０の係止部２２が玄関ドアの内側に引っかかるので、外側から抜けなくなる。【選択図】図１
2010051704.tif 000002
【特許請求の範囲】
【請求項１】
外出する際に住人によって玄関先にセットされ、宅配業者によって宅配物が収納される宅配ボックスにおいて、
上下方向を向いた基端側の開閉中心を基準として、先端側の開放端側が開閉される玄関ドアの下端部に対して係脱可能な係合部材と、
閉鎖状態の前記玄関ドアの外側に配設されて、宅配物を収納する収納ボックスと、
一端部が前記係合部材に接続され、他端部が前記収納ボックスに接続される連結部材と、を備え、
前記係合部材は、
前記閉鎖状態の前記玄関ドアの下端縁と床面との間に形成される間隙に、前記玄関ドアの内側と外側とを連通するように配置される連通部と、
前記連通部のうちの、前記玄関ドアの内側に位置する内端部に立設されて、前記係合部材が前記玄関ドアの外側から引き抜かれようとしたときに前記玄関ドアの内側面に係合して、前記係合部材の引抜きを禁止する係止部と、
前記連通部のうちの、前記玄関ドアの外側に位置する外端部に設けられて前記連結部材の前記一端部が連結される連結部と、を有し、
前記係合部材を前記玄関ドアにセットするに際し、前記連通部を、開放状態の前記玄関ドアの前記間隙に、前記玄関ドアの前記開放端側から前記基端側に向けて挿入して前記係止部を前記玄関ドアの内側に配置し、前記連結部を前記玄関ドアの外側に配置した後、前記玄関ドアを閉鎖する、
ことを特徴とする宅配ボックス。
【請求項２】
前記連結部材は、前記係合部材と前記収納ボックスとを、相対高さ変更可能にフレキシブルに連結する、
ことを特徴とする請求項１に記載の宅配ボックス。
【請求項３】
前記係合部材は、前記連通部が板状に形成されるとともに、前記係止部が前記連通部の前記内端部側を上方に屈曲させることで形成されている、
ことを特徴とする請求項２に記載の宅配ボックス。
【請求項４】
前記連結部は、前記連通部の前記外端部側を上方に屈曲させることで形成されている、
ことを特徴とする請求項３に記載の宅配ボックス。
【請求項５】
前記連結部材が、ワイヤ状部材又は鎖状部材によって形成されている、
ことを特徴とする請求項１ないし４のいずれか１項に記載の宅配ボックス。
【請求項６】
前記連結部材は、前記連結部に固定されて中心軸がほぼ上下方向を向く環状部材と、前記収納ボックスの背面側において上下方向に向けて配置されるとともに、下端側が前記収納ボックスに固定されて前記環状部材が上方から挿脱される棒状部材とによって構成されている、
ことを特徴とする請求項５に記載の宅配ボックス。
【請求項７】
前記収納ボックスが、施錠可能である、
ことを特徴とする請求項１ないし６のいずれか１項に記載の宅配ボックス。
【発明の詳細な説明】
【技術分野】
【０００１】
本発明は、住人の不在時に玄関先にセットされて、宅配業者が宅配物を収納しておくための宅配ボックスに関する。
【背景技術】
【０００２】
宅配業者が宅配物を、例えば、戸建の住宅、マンションやアパート等の集合住宅に配達した際、住人が不在の場合は、宅配物を一旦持ち帰り、再度配達するケースが多い。このような場合、宅配業者にとっては、時間及び労力のロスとなり、特に、配達先が高層マンション等の場合には、ロスが多大となる。一方、住人にとっては、再度の配達によってはじめて宅配物を受け取ることができるために、受取時期が遅れてしまう。
【０００３】
このような不具合を解消するための宅配ボックスが、例えば、特許文献１に開示されている。この宅配ボックスは、住人が外出する際に、玄関ドアの外側にセットするものである。宅配ボックスをダイヤルキー付きのワイヤで施錠し、さらに宅配ボックス自体が持ち去られることを防止するために、別のワイヤでダイヤルキー付きワイヤと玄関ドアとを連結している。
【０００４】
宅配業者には、あらかじめダイヤルキーを解錠するための番号が知らされていて、宅配業者は、その番号で解錠した後、宅配ボックスに宅配物を収納し、その後、宅配ボックスをダイヤルキー付きのワイヤで施錠し、別のワイヤで、ダイヤルキー付きワイヤと玄関ドアとを連結する。
【０００５】
住人は、帰宅した際に、別のワイヤを玄関ドアから外し、ダイヤルキー付きのワイヤを解錠して宅配ボックスを開放し、中から宅配物を取り出す。
【特許文献１】実開平６−４２７２１号公報
【発明の開示】
【発明が解決しようとする課題】
【０００６】
しかしながら、引用文献１の宅配ボックスによると、住人による外出時の宅配ボックスのセットや、帰宅時の宅配物の取り出しが煩雑で、時間がかかるという問題があった。すなわち、住人は、外出の際に宅配ボックスにダイヤルキー付きのワイヤを巻き付け、さらに、別のワイヤで宅配ボックスと玄関ドアとを連結する必要がある。一方、帰宅時には、ダイヤルキー付きのワイヤを解錠するとともに、別のワイヤを取り除く必要がある。
【０００７】
そこで、本発明は、外出時の玄関先へのセットや、帰宅時の宅配物の取り出しが簡単であり、短時間で行うことができる宅配ボックスを提供することを目的とするものである。
【課題を解決するための手段】
【０００８】
請求項１に係る発明は、外出する際に住人によって玄関先にセットされ、宅配業者によって宅配物が収納される宅配ボックスに関する。この発明に係る宅配ボックスは、上下方向を向いた基端側の開閉中心を基準として、先端側の開放端側が開閉される玄関ドアの下端部に対して係脱可能な係合部材と、閉鎖状態の前記玄関ドアの外側に配設されて、宅配物を収納する収納ボックスと、一端部が前記係合部材に接続され、他端部が前記収納ボックスに接続される連結部材と、を備え、前記係合部材は、前記閉鎖状態の前記玄関ドアの下端縁と床面との間に形成される間隙に、前記玄関ドアの内側と外側とを連通するように配置される連通部と、前記連通部のうちの、前記玄関ドアの内側に位置する内端部に立設されて、前記係合部材が前記玄関ドアの外側から引き抜かれようとしたときに前記玄関ドアの内側面に係合して、前記係合部材の引抜きを禁止する係止部と、前記連通部のうちの、前記玄関ドアの外側に位置する外端部に設けられて前記連結部材の前記一端部が連結される連結部と、を有し、前記係合部材を前記玄関ドアにセットするに際し、前記連通部を、開放状態の前記玄関ドアの前記間隙に、前記玄関ドアの前記開放端側から前記基端側に向けて挿入して前記係止部を前記玄関ドアの内側に配置し、前記連結部を前記玄関ドアの外側に配置した後、前記玄関ドアを閉鎖する、ことを特徴としている。
【０００９】
請求項２に係る発明は、請求項１に係る宅配ボックスにおいて、前記連結部材は、前記係合部材と前記収納ボックスとを、相対高さ変更可能にフレキシブルに連結する、ことを特徴としている。
【００１０】
請求項３に係る発明は、請求項２に係る宅配ボックスにおいて、前記係合部材は、前記連通部が板状に形成されるとともに、前記係止部が前記連通部の前記内端部側を上方に屈曲させることで形成されている、ことを特徴としている。
【００１１】
請求項４に係る発明は、請求項３に係る宅配ボックスにおいて、前記連結部は、前記連通部の前記外端部側を上方に屈曲させることで形成されている、ことを特徴としている。
【００１２】
請求項５に係る発明は、請求項１ないし４のいずれか１項に記載の宅配ボックスにおいて、前記連結部材が、ワイヤ状部材又は鎖状部材によって形成されている、ことを特徴としている。
【００１３】
請求項６に係る発明は、請求項５に係る宅配ボックスにおいて、前記連結部材は、前記連結部に固定されて中心軸がほぼ上下方向を向く環状部材と、前記収納ボックスの背面側において上下方向に向けて配置されるとともに、下端側が前記収納ボックスに固定されて前記環状部材が上方から挿脱される棒状部材とによって構成されている、ことを特徴としている。
【００１４】
請求項７に係る発明は、請求項１ないし６のいずれか１項に係る宅配ボックスにおいて、前記収納ボックスが、施錠可能である、ことを特徴としている。
【発明の効果】
【００１５】
請求項１の発明によると、係合部材を玄関ドアの下端部に係合させて、収納ボックスを玄関先に配置することにより、宅配ボックスを簡単にセットすることができる。セット後には、係合部材を玄関ドアの外側から引き抜くことができない。したがって、係合部材に連結部材を介して連結された収納ボックスが持ち去れるようなことがない。また、宅配業者は、住人が不在の場合には、収納ボックスに宅配物を入れておくことができるので、再度の配達を行う必要がない。また、住人にとっては、宅配物を早く受け取ることができる。
【００１６】
請求項２の発明によると、連結部材は、係合部材と収納ボックスとを相互の高さ位置を変更可能にフレキシブルに連結するので、係合部材が配設される玄関ドアの下方近傍と、収納ボックスが配設される玄関先とに段差がある場合でも、宅配ボックスを支障なくセットすることができる。
【００１７】
請求項３の発明によると、板状の連通部の内端部に係止部を簡単に形成することができる。
【００１８】
請求項４の発明によると、連通部の外端部に連結部を簡単に形成することができる。
【００１９】
請求項５の発明によると、ワイヤ状部材又は鎖状部材により、係合部材と収納ボックスとを簡単にフレキシブルに連結することができる。
【００２０】
請求項６の発明によると、セット後の収納ボックスの不要な動きを規制して、ほぼ環状部材を中心としたものに限定することができるので、収納ボックスがセットされた状態での玄関ドアの開閉を円滑に行うことができる。
【００２１】
請求項７の発明によると、収納ボックスが施錠可能であるので、収納ボックス内に宅配された品物が盗まれるようなおそれがない。
【発明を実施するための最良の形態】
【００２２】
以下、本発明に係る宅配ボックスの最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２３】
図１〜図４を参照して、実施形態１に係る宅配ボックス１について説明する。このうち、図１は、宅配ボックス１全体を背面（後面）側の左斜め上方から見た斜視図である。図２（ａ）は宅配ボックス１の正面（前面）図、（ｂ）は上面図、（ｃ）は右側面図である。ただし、（ｂ）及び（ｃ）では錠は省略している。図３は、係合部材２０を玄関ドア１０にセットするようすを説明する図である。図４（ａ）は床面Ｆに段差がない場合、また（ｂ）は、床面Ｆに段差がある場合の宅配ボックス１の使用例を説明する図である。
【００２４】
これらの図に示すように、宅配ボックス１は、例えば、戸建の住宅、マンションやアパート等の集合住宅の玄関ドア１０を利用して、玄関先（閉鎖位置（Ｐ１）に配置された玄関ドア１０の外側）にセットされる。ここで、宅配ボックス１が適用される玄関ドア１０としては、図３に示すように、片開きの一般的な玄関ドア１０、すなわち、上下方向を向いた基端側（一方の長辺）１１の開閉中心Ｃを基準として、先端側（開放端側）１２が開閉される玄関ドア１０が好適である。玄関ドア１０は、縦長の長方形の板状に形成されていて、一方の長辺側（基端側１１）がヒンジ（不図示）によって揺動自在に支持されている。玄関ドア１０は、他方の長辺側（自由端側１２）の、人のほぼ手の高さの位置に、ドアノブ（不図示）が設けられていて、玄関の内側からこのドアノブを回して、自由端側１２を外側に押し出すと、ヒンジを基準として揺動し、開放位置Ｐ２に配置することができる。開放状態の玄関ドア１０は、内側からドアノブを引くことにより、または、外側からドアノブを押すことにより、揺動させて、閉鎖位置Ｐ１に配置することができる。なお、玄関ドア１０は、その下端部１３と床面Ｆとの間に、後述する係合部材２０の連通部２１を挿入することが可能な間隙Ｇ（図２（ｂ）参照）が形成されている。
【００２５】
宅配ボックス１は、係合部材２０と、収納ボックス３０と、連結部材４０とを備えており、後述するように、係合部材２０が、玄関ドア１０の下端部１３に係合され、収納ボックス３０が玄関先に配設され、連結部材４０が係合部材２０と収納ボックス３０とを連結している。
【００２６】
係合部材２０は、断面「コ」字形の板状の部材によって構成されている。係合部材２０は、それぞれ長方形状に形成された連通部２１と係止部２２と連結部２３とが一体となって断面「コ」字形に形成されている。連通部２１は、玄関ドア１０の下端部１３と床面Ｆとの間に形成される間隙（以下、「ドア下間隙」という。）Ｇに挿入される。連通部２１の内端部２１ａ（一方の端部側）には係止部２２が立設され、外端部２１ｂ（他方の端部側）には連結部２３が立設されている。図２（ｃ）に示すように、係止部２２と連結部２３とは相互に対面するように配置されていて、両者間の距離ｘは、玄関ドア１０の厚さＴよりも少し大きく設定されている。係合部材２０は、例えば、板厚が上述のドア下間隙Ｇよりも薄い金属板の一方の端部と他方の端部とを上方にほぼ９０度屈曲させることで、係止部２２と連結部２３とこれらを接続する連通部２１とを形成することができる。
【００２７】
係合部材２０は、開放位置Ｐ２に配置された開放状態の玄関ドア１０の下端部１３に、自由端側１２から基端側１１に向けてスライドさせるようにして係合される。この点については後に説明する。
【００２８】
係合部材２０の連結部２３には、連結部材４０の一部を構成する環状部材４１が固定されている。なお、環状部材４１については、後に連結部材４０を説明する際に説明する。
【００２９】
収納ボックス３０は、図１，図２に示すように、ほぼ直方体状に形成されている。収納ボックス３０は、ボックス本体３１と蓋部材３２と複数（４個）のキャスタ３３とを備えている。
【００３０】
ボックス本体３１は、長方形状の底部３１ａと、この底部の４辺からそれぞれ立設される形成された４つの側部、すなわち前側部３１ｂ、後側部３１ｃ、右側部３１ｄ、左側部３１ｅを有しており、これら側部の上端には、長方形状の開口部（不図示）が上方に向かって開口されている。蓋部材３２は、ほぼ長方形状に形成されていて、後側部が、ボックス本体３１の上端側に固定されたヒンジ３４によって揺動自在に支持されていて、図２（ｃ）に示すように、開口部を閉鎖する閉位置Ｐ３と、開口部を開放する開位置Ｐ４（図２（ｃ）の二点鎖線）とをとるようになっている。蓋部材３２の前面及びボックス本体３１の前面には、左右方向の中心にそれぞれ錠取付板３５ａ，３５ｂがほぼ水平に突設されている。これら錠取付板３５ａ，３５ｂには、透孔３５ｃが穿設されていて、錠３６のフック３６ａが挿入されるようになっている。蓋部材３２を閉位置Ｐ３に配置し、錠取付板３５ａ，３５ｂの透孔３５ｃにフック３６ａを通して施錠することにより、蓋部材３２の開放を禁止することができ、逆に、キー３６ｂによって解錠することで、蓋部材３２を開放することができる。ボックス本体３１の底部３１ａの下面における４隅には、それぞれキャスタ３３が取り付けられている。
【００３１】
連結部材４０は、収納ボックス３０側に取り付ける棒状部材４１と、係合部材２０側に取り付ける環状部材４２とによって構成されている。棒状部材４１は、収納ボックス３０の後側部に固定された取付部材４３に立設されている。取付部材４３は、「Ｌ」字形に形成されていて、垂直部４３ａの上端側がボックス本体３１の後側部３１ｃの、左右方向のほぼ中央の下端部に固定されている。水平部４３ｂは、垂直部４３ａの下端から後方に延びるように形成されている。取付部材４３は、補強部材４４によって補強されている。上述の水平部４３ｂは、上述のキャスタ３３の下端よりも少し高い位置に配置されていて、キャスタ３３を利用して、収納ボックス３０を移動させたときに、床面Ｆに摺擦されないようになっている。さらに、水平部４３ｂの上面は、後述する係合部材２０側の環状部材４２の下端よりも低い位置に配置されている。水平部４３ｂの上面には、棒状部材４１が上方に向かって立設されている。棒状部材４１は、後述するように、環状部材４２に下方から挿通されて、宅配ボックス１全体をセットしたときに、環状部材４２から抜けないような長さに設定されている。
【００３２】
環状部材４２は、係合部材２０の連結部２３に固定されている。環状部材４２は、周方向に直交する平面によって切断したときの断面形状が長方形状となるように、つまりドーナツを押しつぶしたような円環状に形成されている。環状部材４２は、連結部２３の前面に固定されていて、前方に向かって水平に突設されている。つまり、環状部材４２の内側に形成される円形の空間が水平になるように配置されている。環状部材４２の内径は、上述の棒状部材４１の外径よりも大きく設定されていて、環状部材４２の内側に、棒状部材４１が下方から挿入することができるようになっている。環状部材４２の高さ位置は、その下端に位置する部分が、水平部４３ｂの上面よりも高くなるように設定されている。
【００３３】
以上の構成の宅配ボックス１は、そのセットが極めて容易であり、また、玄関近傍の床面Ｆに段差があるような場合でも、支障なく簡単にセットすることができる。
【００３４】
住人は、外出する際、宅配ボックス１をセットしていく。
【００３５】
まず、収納ボックス３０を玄関先に出して、棒状部材４１が玄関ドア１０の近傍に位置するように位置決めする。係合部材２０を、その連通部２１が下方に位置する姿勢で持ち、係合部材２０と一体の環状部材４２を、棒状部材４１の上端側から嵌めて、徐々に下降させて、係合部材２０をその連通部２１が床面Ｆに接触するようにして置く。図３に示すように、玄関ドア１０を開放し、収納ボックス３０とともに、係合部材２０を移動させて、係合部材２０が、開放されている玄関ドア１０の下端部１３の自由端側１２近傍に位置するようにする。
【００３６】
係合部材２０を、その連通部２１がドア下間隙Ｇに挿入されるように玄関ドア１０の下端部１３の自由端側１２側から基端側１１に向けてスライド移動させる。これにより、係止部２２が玄関ドア１０の内側に位置し、連結部２３が玄関ドア１０の外側に位置する。この状態から玄関ドア１０を閉鎖して閉鎖位置Ｐ２に移動させ、玄関ドア１０に施錠すれば、宅配ボックス１のセットが終了する。
【００３７】
ここで、収納ボックス３０の施錠については、住人が宅配ボックス１をセットする際に施錠してもよく、また、セット後に、宅配業者が収納ボックス３０に宅配物を入れた際に施錠するようにしてもよい。いずれの場合も、住人と宅配業者とは、同じキー３６ｂをそれぞれ所有するようにする。なお、複数の数字を合わせることで開錠が可能なナンバー錠を使用するようにしてもよい。また、施錠をしないようにすることも可能である。ただし、この場合には、他人によって、不要なものが収納ボックス３０内に入れられたり、宅配業者が収納した宅配物が不当に持ち去られたりするおそれがあるので、施錠することが好ましい。
【００３８】
本実施形態によると、上述のように、宅配ボックス１のセットに際しては、係合部材２０と一体の環状部材４２を棒状部材４１に嵌め、その後、係合部材２０を玄関ドア１０の下端部１３に係合させる、といった簡単な動作で、宅配ボックス１をセットすることができる。
【００３９】
また、連結部材４０が、相互に係脱可能な環状部材４２と棒状部材４１とによって構成されていて、係合部材２０と収納ボックス３０とが相互に上下方向に相対移動が可能であるので、例えば、図４（ｂ）に示すように、玄関先の床面Ｆに高さが異なる床面Ｆ１，Ｆ２があって段差があるような場合でも、係合部材２０と収納ボックス３０とがそれぞれ高さが異なる床面Ｆ１，Ｆ２に配置することができ、支障なく対応することができる。
【００４０】
また、住人が帰宅した際に、宅配ボックス１がセットされた状態の玄関ドア１０を開放することになるが、収納ボックス１が、棒状部材４１に係合された環状部材４２を介して、係合部材２０に連結され、さらに収納ボックス３０にキャスタ３３が設けてあるので、玄関ドア１０の開放動作に対して、収納ボックス３０がよく追従して移動し、開放動作の妨げにならない。
【００４１】
本実施形態によると、連結部材４０を棒状部材４１と環状部材４２によって形成することにより、セット状態の収納ボックス３０を閉鎖状態の玄関ドア１０に近接して配置することができるので、連結部材４０が収納ボックス３０の後側に隠れて外部から見えにくい（人目に付きにくい）ので、外部からは収納ボックス３０がどのような状態で、セットされているかがわからず、したがって、破壊されたりするおそれが低い。また、仮に外部から収納ボックス３０の後方をのぞき込んで、連結部材４０の構造がわかったとしても、収納ボックス３０の後側部３１ｃと閉鎖状態の玄関ドア１０との間の間隙を狭くすることができるので、工具等を間隙に差し入れて連結部材４０が破壊される可能性も低い。さらに、連結部材４０が、収納ボックス３０に対して、その後側部３１ｃの左右方向のほぼ中央で、かつ下端側に配置、つまり、外部から連結部材４０を破壊するためにアクセスしようとした場合に、収納ボックス３０の上面及び左右の側面から最も遠い位置に配置されているので、このことによっても破壊されにくい。
【００４２】
上述では、係合部材２０は、板状の部材を屈曲させて、連通部２１と係止部２２と連結部２３とを有する断面「コ」字状に形成したが、本発明においては、これに限定されず、例えば、連通部２１の内端部２１ａ（図１参照）を内側に延ばし、この延ばした部分に棒状の係止部やブロック状の係止部を立設するようにしてもよい。つまり、係止部２１は、係合部材２０を閉鎖状態の玄関ドア１０に係合させた状態において、玄関ドア１０の外側から係合部材２０を引き抜くことができないように、玄関ドア１０の内面に係止されるものであれば、その形状等は任意のものとすることができる。また、連結部２３についても、上述では、連通部２１の外端部２１ｂに垂直に立設するように液制したが、これに限らず、例えば、外端部２１ｂから斜め上方に延びるように形成してもよい。すなわち、連結部２３は、環状部材４２を、所定の位置（取付部材４３の水平部４３ｂよりも高い）に保持できることができれば、任意の形状とすることができる。なお、環状部材４２は他の形状、例えば、ドーナツ形であってもよい。
＜実施形態２＞
【００４３】
図５に、実施形態２に係る宅配ボックスを示す。本実施形態では、連結部材４０Ａをワイヤ部材や鎖部材等の策状体によって構成し、この連結部材４０Ａによって、係合部材２０と収納ボックス３０とを連結している。すなわち、係合部材２０の外端部２１ｂから連結部２３ａを延ばし、この連結部２３ａに連結部４０Ａの一端部４０ａを接続し、連結部材４０Ａの他端部を取付部材４３の水平部４３ｂに接続する。また、連結部材４０Ａの長さについては、例えば、図４（ｂ）に示すように、床面Ｆ１，Ｆ２の高さが異なる場合でも、これに対処できるように、適度な長さの余裕を設けておく。これにより、係合部材２０と収納ボックス３０とをフレキシブルに連結することができ、係合部材２０と収納ボックス３０とが上下方向に相対移動可能であるので、玄関先の床面Ｆ１，Ｆ２に段差があっても支障なく対応することができる。
【図面の簡単な説明】
【００４４】
【図１】宅配ボックス１全体を背面（後面）側の左斜め上方から見た斜視図である。
【図２】（ａ）は宅配ボックス１の正面（前面）図、（ｂ）は上面図、（ｃ）は左側面図である。ただし、（ｂ）及び（ｃ）では錠は省略している。
【図３】係合部材２０を玄関ドア１０にセットするようすを説明する図である。
【図４】（ａ）は床面Ｆに段差がない場合、また（ｂ）は、床面Ｆに段差がある場合の宅配ボックス１の使用例を説明する図である。
【図５】実施形態２の宅配ボックスの連結部材４０Ａを説明する図である。
【符号の説明】
【００４５】
１          宅配ボックス
１０        玄関ドア
１１        基端側
１２        自由端側（開放端側）
１３        下端部
２０        係合部材
２１        連通部
２１ａ      内端部
２１ｂ      外端部
２２        係止部
２３        連結部
３０        収納ボックス
３１        ボックス本体
３２        蓋部材
３３        キャスタ
３６        錠
４０，４０Ａ
連結部材
４１        棒状部材
４２        環状部材
４３        取付部材
４３ａ      垂直部
４３ｂ      水平部
Ｇ          ドア下間隙（間隙）
【図１】
2010051704.tif 000003
【図２】
2010051704.tif 000004
【図３】
2010051704.tif 000005
【図４】
2010051704.tif 000006
【図５】
2010051704.tif 000007